(57)【要約】【課題】蓄電装置に対して電力供給事業者が想定した電力量の制御を行いやすくする。【解決手段】充放電指示に基づいて電力を充放電する蓄電装置が複数接続される電力系統毎に、蓄電装置の充電の状態を示す充電状態情報を取得する取得部と、電力系統のうちのある電力系統に接続される蓄電装置の充電状態情報の時間変化に基づいて、系統毎需要予測情報を算出する需要予測算出部と、充放電指示が出力された場合に当該充放電指示に基づく電力の充放電を当該蓄電装置が受け入れるか否かを示す諾否情報と、充電状態情報とに基づいて、電力系統毎の充放電可能な電力量を系統毎充放電可能電力量として算出する充放電可能電力量算出部と、系統毎需要予測情報と、系統毎充放電可能電力量とに基づいて、それぞれの蓄電装置の充放電量を示す充放電指示を生成する充放電指示生成部と、充放電指示を蓄電装置に出力する充放電指示出力部とを備える充放電指示装置。【選択図】図１
2018007391.tif 000002
【特許請求の範囲】
【請求項１】
充放電指示に基づいて電力を充放電する蓄電装置が複数接続される電力系統毎に、前記蓄電装置の充電の状態を示す充電状態情報を複数の前記蓄電装置のそれぞれから取得する取得部と、
前記電力系統のうちのある電力系統に接続されるそれぞれの前記蓄電装置の前記充電状態情報の時間変化に基づいて、当該電力系統に接続される前記蓄電装置の充放電の需要予測を前記電力系統毎に示す系統毎需要予測情報を算出する需要予測算出部と、
前記充放電指示が出力された場合に当該充放電指示に基づく電力の充放電を当該蓄電装置が受け入れるか否かを示す諾否情報と、前記取得部が取得する前記充電状態情報とに基づいて、前記電力系統毎の充放電可能な電力量を系統毎充放電可能電力量として算出する充放電可能電力量算出部と、
前記需要予測算出部が算出した前記系統毎需要予測情報と、前記充放電可能電力量算出部が算出した前記系統毎充放電可能電力量とに基づいて、それぞれの前記蓄電装置の充放電量を示す前記充放電指示を生成する充放電指示生成部と、
前記充放電指示生成部が生成した前記充放電指示を前記蓄電装置に出力する充放電指示出力部と
を備える充放電指示装置。
【請求項２】
前記充放電指示が示す充放電指示量と、当該充放電指示を受諾した前記蓄電装置の当該充放電指示を受諾した後の充電の状態との比較によって、前記蓄電装置が前記充放電指示に従った割合を示す充放電指示従い率を前記蓄電装置毎に算出する充放電指示従い率算出部と、
前記充放電指示生成部が生成する前記充放電指示を、前記充放電指示従い率算出部が算出する前記充放電指示従い率に基づいて補正する充放電指示補正部と、
を更に備え、
前記充放電指示出力部は、前記充放電指示補正部による補正後の充放電指示を前記充放電指示として前記蓄電装置に出力する
請求項１に記載の充放電指示装置。
【請求項３】
前記蓄電装置とは、前記電力系統と接続可能であり接続された前記電力系統との間において充放電が可能な蓄電池を備える移動体であり、
前記移動体の位置を示す移動体位置情報を取得する移動体位置情報取得部と、
前記移動体位置情報取得部が取得する前記移動体位置情報と、前記電力系統を構成する設備が設置されている位置を示す電力設備位置情報とに基づいて、複数の前記電力系統のうち前記移動体が接続される前記電力系統を接続先電力系統として推定する接続先推定部
を更に備え、
前記充放電可能電力量算出部は、
前記接続先推定部が推定する前記接続先電力系統に更に基づいて、前記系統毎充放電可能電力量を算出する
請求項１又は請求項２に記載の充放電指示装置。
【請求項４】
コンピュータに、
充放電指示に基づいて電力を充放電する蓄電装置が複数接続される電力系統毎に、前記蓄電装置の充電の状態を示す充電状態情報を複数の前記蓄電装置のそれぞれから取得する取得ステップと、
前記電力系統のうちのある電力系統に接続されるそれぞれの前記蓄電装置の前記充電状態情報の時間変化に基づいて、当該電力系統に接続される前記蓄電装置の充放電の需要予測を前記電力系統毎に示す系統毎需要予測情報を算出する需要予測算出ステップと、
前記充放電指示が出力された場合に当該充放電指示に基づく電力の充放電を当該蓄電装置が受け入れるか否かを示す諾否情報と、前記取得ステップから取得される前記充電状態情報とに基づいて、前記電力系統毎の充放電可能な電力量を系統毎充放電可能電力量として算出する充放電可能電力量算出ステップと、
前記需要予測算出ステップから算出された前記系統毎需要予測情報と、前記充放電可能電力量算出ステップから算出された前記系統毎充放電可能電力量とに基づいて、それぞれの前記蓄電装置の充放電量を示す前記充放電指示を生成する充放電指示生成ステップと、
前記充放電指示生成ステップから生成された前記充放電指示を前記蓄電装置に出力する充放電指示出力ステップと
を実行させるための充放電指示プログラム。
【発明の詳細な説明】
【技術分野】
【０００１】
本発明は、充放電指示装置及び充放電指示プログラムに関する。
【背景技術】
【０００２】
従来、電力供給事業者の顧客が有する蓄電装置を制御する電力系統制御システムが提案されている（例えば、特許文献１）。
【先行技術文献】
【特許文献】
【０００３】
【特許文献１】特開２０１６−９２８４４号公報
【発明の概要】
【発明が解決しようとする課題】
【０００４】
従来の電力系統制御システムでは、電力供給事業者の顧客が有する蓄電装置を用いて電力制御を行うため、顧客が予め蓄電装置の制御を委ねる旨の登録を行う。しかし、顧客が制御を委ねる旨の登録に反して、蓄電装置を移動するなどして電力系統から切り離された場合など、電力供給事業者が想定する電力制御が行えない場合がある。この場合には、電力供給事業者は、顧客が有する蓄電装置に対して想定していた電力量の制御を行えないという課題がある。
本発明は、上述の事情に鑑みてなされたものであり、蓄電装置に対して電力供給事業者が想定した電力量の制御を行いやすくする充放電指示装置及び充放電指示プログラムを提供することを目的とする。
【課題を解決するための手段】
【０００５】
本発明の一態様は、充放電指示に基づいて電力を充放電する蓄電装置が複数接続される電力系統毎に、前記蓄電装置の充電の状態を示す充電状態情報を複数の前記蓄電装置のそれぞれから取得する取得部と、前記電力系統のうちのある電力系統に接続されるそれぞれの前記蓄電装置の前記充電状態情報の時間変化に基づいて、当該電力系統に接続される前記蓄電装置の充放電の需要予測を前記電力系統毎に示す系統毎需要予測情報を算出する需要予測算出部と、前記充放電指示が出力された場合に当該充放電指示に基づく電力の充放電を当該蓄電装置が受け入れるか否かを示す諾否情報と、前記取得部が取得する前記充電状態情報とに基づいて、前記電力系統毎の充放電可能な電力量を系統毎充放電可能電力量として算出する充放電可能電力量算出部と、前記需要予測算出部が算出した前記系統毎需要予測情報と、前記充放電可能電力量算出部が算出した前記系統毎充放電可能電力量とに基づいて、それぞれの前記蓄電装置の充放電量を示す前記充放電指示を生成する充放電指示生成部と、前記充放電指示生成部が生成した前記充放電指示を前記蓄電装置に出力する充放電指示出力部とを備える充放電指示装置である。
【０００６】
また、本発明の一態様の充放電指示装置において、前記充放電指示が示す充放電指示量と、当該充放電指示を受諾した前記蓄電装置の当該充放電指示を受諾した後の充電の状態との比較によって、前記蓄電装置が前記充放電指示に従った割合を示す充放電指示従い率を前記蓄電装置毎に算出する充放電指示従い率算出部と、前記充放電指示生成部が生成する前記充放電指示を、前記充放電指示従い率算出部が算出する前記充放電指示従い率に基づいて補正する充放電指示補正部と、を更に備え、前記充放電指示出力部は、前記充放電指示補正部による補正後の充放電指示を前記充放電指示として前記蓄電装置に出力する。
【０００７】
また、本発明の一態様の充放電指示装置において、前記蓄電装置とは、前記電力系統と接続可能であり接続された前記電力系統との間において充放電が可能な蓄電池を備える移動体であり、前記移動体の位置を示す移動体位置情報を取得する移動体位置情報取得部と、前記移動体位置情報取得部が取得する前記移動体位置情報と、前記電力系統を構成する設備が設置されている位置を示す電力設備位置情報とに基づいて、複数の前記電力系統のうち前記移動体が接続される前記電力系統を接続先電力系統として推定する接続先推定部を更に備え、前記充放電可能電力量算出部は、前記接続先推定部が推定する前記接続先電力系統に更に基づいて、前記系統毎充放電可能電力量を算出する。
【０００８】
また、本発明の一態様は、コンピュータに、充放電指示に基づいて電力を充放電する蓄電装置が複数接続される電力系統毎に、前記蓄電装置の充電の状態を示す充電状態情報を複数の前記蓄電装置のそれぞれから取得する取得ステップと、前記電力系統のうちのある電力系統に接続されるそれぞれの前記蓄電装置の前記充電状態情報の時間変化に基づいて、当該電力系統に接続される前記蓄電装置の充放電の需要予測を前記電力系統毎に示す系統毎需要予測情報を算出する需要予測算出ステップと、前記充放電指示が出力された場合に当該充放電指示に基づく電力の充放電を当該蓄電装置が受け入れるか否かを示す諾否情報と、前記取得ステップから取得される前記充電状態情報とに基づいて、前記電力系統毎の充放電可能な電力量を系統毎充放電可能電力量として算出する充放電可能電力量算出ステップと、前記需要予測算出ステップから算出された前記系統毎需要予測情報と、前記充放電可能電力量算出ステップから算出された前記系統毎充放電可能電力量とに基づいて、それぞれの前記蓄電装置の充放電量を示す前記充放電指示を生成する充放電指示生成ステップと、前記充放電指示生成ステップから生成された前記充放電指示を前記蓄電装置に出力する充放電指示出力ステップとを実行させるための充放電指示プログラムである。
【発明の効果】
【０００９】
本発明によれば、蓄電装置に対して電力供給事業者が想定した電力量の制御を行いやすくする充放電指示装置及び充放電指示プログラムを提供することができる。
【図面の簡単な説明】
【００１０】
【図１】第１の実施形態に係る充放電指示装置の外観構成の一例を示す図である。
【図２】充放電指示装置の機能構成の一例を示す図である。
【図３】充電状態情報の一例を示す図である。
【図４】時間変化情報及び系統毎需要予測情報の一例を示す図である。
【図５】諾否情報の一例を示す図である。
【図６】系統毎充放電可能電力量の一例を示す図である。
【図７】系統毎需要予測情報と、系統毎充放電可能電力量との関係を示す図である。
【図８】充放電指示の一例を示す図である。
【図９】充放電指示装置の動作の一例を示す流れ図である。
【図１０】第２の実施形態に係る充放電指示装置の構成の一例を示す図である。
【図１１】充放電指示装置の動作の一例を示す流れ図である。
【図１２】第３の実施形態に係る充放電指示装置の構成の一例を示す図である。
【図１３】移動体位置情報の一例を示す図である。
【図１４】地点毎の時刻と、移動体が備える蓄電池の電力量との関係の一例を示す図である。
【図１５】充放電指示装置の動作の一例を示す流れ図である。
【発明を実施するための形態】
【００１１】
［第１の実施形態］
［充放電指示装置１の外観構成］
以下、図面を参照して、本発明に係る充放電指示装置の第１の実施形態について説明する。なお、この実施形態に記載されている構成部品の個数等は、特定的な記載がない限り本発明の範囲をこれに限定する趣旨ではなく、単なる説明例にすぎない。
図１を参照して、本発明の第１の実施形態に係る充放電指示装置１の外観構成ついて説明する。
図１は、充放電指示装置１の外観構成の一例を示す図である。
【００１２】
充放電指示装置１は、一般送配電事業者の変電所ＳＳに備えられる。一般送配電事業者とは、管轄する地域の電力の需要と電力の供給とが一致するように調整することにより、電力を安定して供給する事業者のことである。
変電所ＳＳは、変圧器ＱＢ１と、変圧器ＱＢ２とを備える。以降の説明において、変圧器ＱＢ１と変圧器ＱＢ２とを区別しない場合には、単に変圧器ＱＢと記載する。変圧器ＱＢは、発電所（不図示）から変電所ＳＳに供給される電力の電圧を変圧する。
【００１３】
変圧器ＱＢ１は、配電線Ｌ１に接続される。変圧器ＱＢ１から配電線Ｌ１を介して電力が供給される電力系統を、電力系統ＤＳ１とも記載する。
配電線Ｌ１は、蓄電装置ＥＳ１＿１と、蓄電装置ＥＳ１＿２と、蓄電装置ＥＳ１＿３と接続される。以降の説明において、蓄電装置ＥＳ１＿１と、蓄電装置ＥＳ１＿２と、蓄電装置ＥＳ１＿３とを区別しない場合には、単に蓄電装置ＥＳ１と記載する。配電線Ｌ１は、変圧器ＱＢ１から供給される電力を、蓄電装置ＥＳ１に対して供給する。
【００１４】
変圧器ＱＢ２は、配電線Ｌ２に接続される。変圧器ＱＢ２から配電線Ｌ２を介して電力が供給される電力系統を、電力系統ＤＳ２とも記載する。
配電線Ｌ２は、蓄電装置ＥＳ２＿１と、蓄電装置ＥＳ２＿２と、蓄電装置ＥＳ２＿３と接続される。以降の説明において、蓄電装置ＥＳ２＿１と、蓄電装置ＥＳ２＿２と、蓄電装置ＥＳ２＿３とを区別しない場合には、単に蓄電装置ＥＳ２と記載する。配電線Ｌ２は、変圧器ＱＢ２から供給される電力を、蓄電装置ＥＳ２に対して供給する。
【００１５】
以降の説明において、配電線Ｌ１と、配電線Ｌ２とを区別しない場合には、単に配電線Ｌと記載する。また、以降の記載において、電力系統ＤＳ１と、電力系統ＤＳ２とを区別しない場合には、単に電力系統ＤＳと記載する。
また、以降の説明において、蓄電装置ＥＳ１と、蓄電装置ＥＳ２とを区別しない場合には、単に蓄電装置ＥＳと記載する。また、蓄電装置ＥＳが蓄電した電力を使用する人を需要家と記載することがある。需要家とは、電力供給事業者から供給される電力を消費する消費者のことである。
【００１６】
蓄電装置ＥＳ１＿１及び蓄電装置ＥＳ２＿１とは、発電及び蓄電を行う蓄電装置である。具体的には、蓄電装置ＥＳ１＿１及び蓄電装置ＥＳ２＿１とは、太陽光発電装置である。以降の説明において、蓄電装置ＥＳ１＿１と、蓄電装置ＥＳ２＿１とを区別しない場合には、単に太陽光発電装置と記載する。太陽光発電装置は、太陽光などの光により発電した電力を自装置が備える蓄電池（不図示）に蓄電する。
また、太陽光発電装置は、接続される配電線Ｌに対して発電した電力を逆潮流により供給する。逆潮流とは、蓄電装置ＥＳから配電線Ｌに対して電力を供給することである。逆潮流が過剰に生じると、電力を供給された配電線の電圧は上昇する。電圧が上昇した配電線から供給される電力の品質は、悪くなる。
また、変圧器から配電線を介して供給される電力量に対して、配電線Ｌに接続された電力を消費する機器使用される電力量が大きくなると、配電線の電圧が低下する。電圧が低下した配電線Ｌから供給される電力の品質は、電圧が低下していない配電線Ｌから供給される電力の品質を比較すると、悪くなる。
【００１７】
蓄電装置ＥＳ１＿２とは、一般家庭が備える蓄電装置である。以降の説明において、蓄電装置ＥＳ１＿２を単に般家庭用蓄電装置とも記載する。
蓄電装置ＥＳ２＿３とは、商業施設や工場などが備える蓄電装置である。以降の説明において、蓄電装置ＥＳ２＿３を、業務用蓄電装置とも記載する。
一般家庭用蓄電装置及び業務用蓄電装置は、接続された配電線Ｌから供給される電力を蓄電する。一般家庭用蓄電装置を備える家は、一般家庭用蓄電装置が蓄電した電力を消費する。業務用蓄電装置を備える商業施設や工場は、業務用蓄電装置が蓄電した電力を消費する。また、一般家庭用蓄電装置及び業務用蓄電装置は、蓄電した電力を接続された配電線Ｌに対して、逆潮流によって供給する。
【００１８】
蓄電装置ＥＳ２＿２とは、他の蓄電装置に対して電力を供給する充電設備である。以降の説明において、蓄電装置ＥＳ２＿２を、単に充電設備とも記載する。
充電設備は、接続された配電線Ｌから接続される電力を蓄電する。充電設備は、蓄電した電力を、接続される蓄電装置に対して供給する。また、充電設備は、蓄電した電力を、接続された配電線Ｌに対して逆潮流によって供給する。具体的には、充電設備とは、電力を利用して動力を得て移動する移動体に対して電力を供給する蓄電装置である。移動体とは、電気自動車及び電動二輪車、電力及び他のエネルギーによって動力を得て移動するハイブリッド車などである。
【００１９】
蓄電装置ＥＳ１＿３とは、電力系統ＤＳと接続可能であり接続された電力系統ＤＳとの間において充放電が可能な蓄電池ＢＥＳ１＿３を備える移動体である。蓄電装置ＥＳ１＿３は、配電線Ｌ１（電力系統ＤＳ１）と接続される。蓄電装置ＥＳ１＿３とは、配電線Ｌ１から供給される電力を蓄電する。蓄電装置ＥＳ１＿３を備える家は、蓄電装置ＥＳ１＿３が蓄電した電力を消費する。蓄電装置ＥＳ１＿３は、蓄電した電力を、接続された配電線Ｌ１に対して逆潮流によって供給する。また、蓄電装置ＥＳ１＿３は、蓄電した電力を消費して移動する。本実施形態に係る蓄電装置ＥＳ１＿３は、電気自動車である。また、本実施形態に係る蓄電装置ＥＳ１＿３は移動せず、上述した一般家庭用蓄電装置と同様の動作をする。
【００２０】
上述したように、電力系統毎の消費電力と、供給電力とが不均衡な状態となると、不均衡な状態となった電力系統から供給される電力の品質は、均衡な状態の電力系統からが供給される電力の品質と比較すると悪くなる。そこで、本実施形態の充放電指示装置１は、各電力系統が備える蓄電装置ＥＳに対して充放電指示を出力することにより、電力系統毎に電力の消費と供給との調整を行う。以下、この充放電指示装置１の具体的な機能構成について説明する。
【００２１】
［充放電指示装置１の機能構成］
次に、図２を参照して、充放電指示装置１の機能構成の一例について説明する。
図２は、充放電指示装置１の機能構成の一例を示す図である。
充放電指示装置１は、取得部１００と、需要予測算出部１０１と、充放電可能電力量算出部１０２と、充放電指示生成部１０３と、充放電指示出力部１０４と、第１記憶部１０５とを備える。
【００２２】
取得部１００は、充放電指示ＤＣＤに基づいて電力を充放電する蓄電装置ＥＳが複数接続される電力系統ＤＳ毎に、蓄電装置ＥＳの充電の状態を示す充電状態情報ＥＳＩを複数の蓄電装置ＥＳのそれぞれから取得する。取得部１００は、電力系統ＤＳ１に接続される蓄電装置ＥＳ１から、充電状態情報ＥＳＩをそれぞれ取得する。具体的には、取得部１００は、蓄電装置ＥＳ１＿１から充電状態情報ＥＳＩ１＿１を取得する。取得部１００は、蓄電装置ＥＳ１＿２から充電状態情報ＥＳＩ１＿２を取得する。取得部１００は、蓄電装置ＥＳ１＿３から充電状態情報ＥＳＩ１＿３を取得する。以降の説明において、充電状態情報ＥＳＩ１＿１と、充電状態情報ＥＳＩ１＿２と、充電状態情報ＥＳＩ１＿３とを総称して、充電状態情報ＥＳＩ１とも記載する。
取得部１００は、蓄電装置ＥＳ２＿１から充電状態情報ＥＳＩ２＿１を取得する。取得部１００は、蓄電装置ＥＳ２＿２から充電状態情報ＥＳＩ２＿２を取得する。取得部１００は、蓄電装置ＥＳ２＿３から充電状態情報ＥＳＩ２＿３を取得する。以降の説明において、充電状態情報ＥＳＩ２＿１と、充電状態情報ＥＳＩ２＿２と、充電状態情報ＥＳＩ２＿３とを総称して、充電状態情報ＥＳＩ２とも記載する。また、以降の説明において、充電状態情報ＥＳＩ１と充電状態情報ＥＳＩ２とを総称して、充電状態情報ＥＳＩとも記載する。
【００２３】
充電状態情報ＥＳＩとは、図３に示すような蓄電装置ＥＳの充電の状態を示す情報である。
図３は、充電状態情報ＥＳＩの一例を示す図である。
本実施形態の充電状態情報ＥＳＩには、蓄電装置ＥＳが蓄電できる電力量を示す蓄電容量の情報と、蓄電装置ＥＳが蓄電している電力量を示す蓄電量の情報と、蓄電装置ＥＳが蓄電可能な残りの電力量を示す残容量の情報と、蓄電装置ＥＳが発電する電力量を示す発電量の情報とが互いに関連付けられた情報が含まれる。また、蓄電量の情報及び残容量の情報は、蓄電装置ＥＳによって更新される。
【００２４】
具体的には、充電状態情報ＥＳＩ１＿１は、蓄電装置ＥＳ１＿１の蓄電容量である”２００（ｋＷｈ）”と、蓄電装置ＥＳ１＿１の蓄電量である”１８０（ｋＷｈ）”と、蓄電装置ＥＳ１＿１の残容量である”２０（ｋＷｈ）”とが互いに関連付けられた情報である。また、この一例において蓄電装置ＥＳ１＿１とは、電力を発電することができる蓄電装置ＥＳである。蓄電装置ＥＳ１＿１の充電の状態を示す充電状態情報ＥＳＩ１＿１には、発電量の情報として”３０（ｋＷｈ）”が、更に関連付けられる。充電状態情報ＥＳＩ１＿２は、蓄電装置ＥＳ１＿２の蓄電容量である”２０（ｋＷｈ）”と、蓄電装置ＥＳ１＿２の蓄電量である”１８（ｋＷｈ）”と、蓄電装置ＥＳ１＿２の残容量である”２（ｋＷｈ）”とが互いに関連付けられた情報である。充電状態情報ＥＳＩ１＿３は、蓄電装置ＥＳ１＿３の蓄電容量である”３０（ｋＷｈ）”と、蓄電装置ＥＳ１＿３の蓄電量である”５（ｋＷｈ）”と、蓄電装置ＥＳ１＿３の残容量である”２５（ｋＷｈ）”とが互いに関連付けられた情報である。
【００２５】
充電状態情報ＥＳＩ２＿１は、蓄電装置ＥＳ２＿１の蓄電容量である”１５０（ｋＷｈ）”と、蓄電装置ＥＳ２＿１の蓄電量である”１００（ｋＷｈ）”と、蓄電装置ＥＳ２＿１の残容量である”５０（ｋＷｈ）”とが互いに関連付けられる。また、この一例において蓄電装置ＥＳ２＿１とは、電力を発電することができる蓄電装置ＥＳである。蓄電装置ＥＳ２＿１の充電の状態を示す充電状態情報ＥＳＩ２＿１には、発電量の情報として”２５（ｋＷｈ）”が、更に関連付けられた情報である。充電状態情報ＥＳＩ２＿２は、蓄電装置ＥＳ２＿２の蓄電容量である”６０（ｋＷｈ）”と、蓄電装置ＥＳ２＿２の蓄電量である”６０（ｋＷｈ）”と、蓄電装置ＥＳ２＿２の残容量である”０（ｋＷｈ）”とが互いに関連付けられた情報である。充電状態情報ＥＳＩ２＿３は、蓄電装置ＥＳ２＿３の蓄電容量である”８０（ｋＷｈ）”と、蓄電装置ＥＳ２＿３の蓄電量である”７０（ｋＷｈ）”と、蓄電装置ＥＳ２＿３の残容量である”１０（ｋＷｈ）”とが互いに関連付けられた情報である。
【００２６】
需要予測算出部１０１は、電力系統ＤＳのうちのある電力系統ＤＳに接続されるそれぞれの蓄電装置ＥＳの充電状態情報ＥＳＩの時間変化に基づいて、当該電力系統ＤＳに接続される蓄電装置ＥＳの充放電の需要予測を電力系統ＤＳ毎に示す系統毎需要予測情報ＤＦを算出する。系統毎需要予測情報ＤＦとは、充放電指示装置１が電力系統ＤＳの電力量を調整しない場合に予測される、電力系統ＤＳから電力が供給される蓄電装置ＥＳの電力需要を示す情報である。図２に示す一例では、需要予測算出部１０１は、電力系統ＤＳ１に接続される蓄電装置ＥＳ１の充電状態情報ＥＳＩの時間変化に基づいて、電力系統ＤＳ１に接続される蓄電装置ＥＳ１の充放電の需要予測を示す系統毎需要予測情報ＤＦ１を算出する。
【００２７】
需要予測算出部１０１は時間変化情報ＥＳＴに基づいて、系統毎需要予測情報ＤＦを算出する。この時間変化情報ＥＳＴの生成について説明する。
取得部１００は、取得した充電状態情報ＥＳＩを第１記憶部１０５に、記憶させる。
第１記憶部１０５は、これまでに記憶してきた充電状態情報ＥＳＩと、新たに記憶させられた充電状態情報ＥＳＩとを関連付けた時間変化情報ＥＳＴとして記憶する。具体的には、第１記憶部１０５は、充放電指示装置１が指示する各電力系統が備える蓄電装置ＥＳから取得した充電状態情報ＥＳＩに基づいて、時間変化情報ＥＳＴを記憶する。より具体的には、時間変化情報ＥＳＴには、蓄電装置ＥＳ１＿１の時間変化情報ＥＳＴ１＿１と、蓄電装置ＥＳ１＿２の時間変化情報ＥＳＴ１＿２と、蓄電装置ＥＳ１＿３の時間変化情報ＥＳＴ１＿３と、蓄電装置ＥＳ２＿１の時間変化情報ＥＳＴ２＿１と、蓄電装置ＥＳ２＿２の時間変化情報ＥＳＴ２＿２と、蓄電装置ＥＳ２＿３の時間変化情報ＥＳＴ２＿３とが含まれる。
【００２８】
第１記憶部１０５は、取得部１００が取得する充電状態情報ＥＳＩ１＿１と、時間変化情報ＥＳＴ１＿１とを関連付けて記憶する。第１記憶部１０５は、取得部１００が取得する充電状態情報ＥＳＩ１＿２と、時間変化情報ＥＳＴ１＿２とを関連付けて記憶する。第１記憶部１０５は、取得部１００が取得する充電状態情報ＥＳＩ１＿３と、時間変化情報ＥＳＴ１＿３とを関連付けて記憶する。第１記憶部１０５は、取得部１００が取得する充電状態情報ＥＳＩ２＿１と、時間変化情報ＥＳＴ２＿１とを関連付けて記憶する。第１記憶部１０５は、取得部１００が取得する充電状態情報ＥＳＩ２＿２と、時間変化情報ＥＳＴ２＿２とを関連付けて記憶する。第１記憶部１０５は、取得部１００が取得する充電状態情報ＥＳＩ２＿３と、時間変化情報ＥＳＴ２＿３とを関連付けて記憶する。また、時刻やカレンダー情報（曜日、祝祭日情報など）、気象情報（天候、気温など）とを関連付けて記憶する。
【００２９】
次に、図４を参照して、時間変化情報ＥＳＴ１＿１の一例について説明する。
図４は、時間変化情報ＥＳＴ１＿１、時間変化情報ＥＳＴ１＿２、時間変化情報ＥＳＴ１＿３及び系統毎需要予測情報ＤＦ１の一例を示す図である。
時間変化情報ＥＳＴ１＿１は、時刻が”６：００”のときに、蓄電装置ＥＳ１の蓄電量は”９０（ｋＷｈ）”である。時刻が”１２：００”のときに、蓄電装置ＥＳ１の蓄電量は”１５０（ｋＷｈ）”である。時刻が”１４：００”のときに、蓄電装置ＥＳ１の蓄電量は”１８０（ｋＷｈ）”である。時刻が”２３：５９”のときに、蓄電装置ＥＳ１の蓄電量は”９０（ｋＷｈ）”である。
時間変化情報ＥＳＴ１＿１とは、蓄電装置ＥＳ１＿１の充電状態情報ＥＳＩ１＿１の履歴の情報である。時間変化情報ＥＳＴ１＿１は、充電状態情報ＥＳＩ１＿１＿１から充電状態情報ＥＳＩ１＿１＿１６までの点をつなげた曲線である。取得部１００は、３０分程度の時間間隔をあけて、蓄電装置ＥＳ１＿１から充電状態情報ＥＳＩ１＿１を取得する。取得部１００は、第１記憶部１０５に、充電状態情報ＥＳＩ１＿１を取得した順に記憶させる。
この一例では、取得部１００は、まず、充電状態情報ＥＳＩ１＿１＿１６に相当する充電状態情報ＥＳＩ１＿１を取得する。次に、取得部１００は、充電状態情報ＥＳＩ１＿１＿１５に相当する充電状態情報ＥＳＩ１＿１を取得する。その後も同様に、取得部１００は、充電状態情報ＥＳＩ１＿１を取得する毎に、第１記憶部１０５に記憶させる。取得部１００が、充電状態情報ＥＳＩ１＿１＿１に相当する充電状態情報ＥＳＩ１＿１を取得し、第１記憶部１０５に記憶させたものが、図４に示す時間変化情報ＥＳＴ１＿１である。
時間変化情報ＥＳＴ１＿２は、取得部１００が蓄電装置ＥＳ１＿２から取得する充電状態情報ＥＳＩ１＿２の履歴の情報である。また、時間変化情報ＥＳＴ１＿３は、取得部１００が蓄電装置ＥＳｖ１＿３から取得する充電状態情報ＥＳＩ１＿３の履歴の情報である。
次に、系統毎需要予測情報ＤＦ１について説明する。需要予測算出部１０１が算出する系統毎需要予測情報ＤＦ１は、時間変化情報ＥＳＴ１＿１と、時間変化情報ＥＳＴ１＿２と、時間変化情報ＥＳＴ１＿３とを、同時刻にそれぞれの蓄電装置ＥＳが蓄電する電力量を加算したものである。具体的には、需要予測算出部１０１は、時刻が”３：００”の時の時間変化情報ＥＳＴ１＿１の履歴である点ＰＴ１が示す電力量と、時刻が”３：００”の時の時間変化情報ＥＳＴ１＿２の履歴である点ＰＴ２が示す電力量と、時刻が”３：００”の時の時間変化情報ＥＳＴ１＿３の履歴である点ＰＴ３が示す電力量とを加算して、系統毎需要予測情報ＤＦ１の時刻が”３：００”の時の点ＰＴ４が示す電力量を算出する。需要予測算出部１０１は、時間変化情報ＥＳＴ１＿１、時間変化情報ＥＳＴ１＿２及び時間変化情報ＥＳＴ１＿３のデータを時刻毎に加算して、系統毎需要予測情報ＤＦ１を算出する。  需要予測算出部１０１は、電力系統毎に系統毎需要予測情報ＤＦを算出する。
【００３０】
図２に戻り、需要予測算出部１０１の具体的な構成について説明する。
需要予測算出部１０１は、第１記憶部１０５から時間変化情報ＥＳＴ１＿１と、時間変化情報ＥＳＴ１＿２と、時間変化情報ＥＳＴ１＿３とを取得し、時間を対応付けて加算する。需要予測算出部１０１は、取得部１００が取得する充電状態情報ＥＳＩ１＿１と、充電状態情報ＥＳＩ１＿２と、充電状態情報ＥＳＩ１＿３とに含まれる蓄電量の情報をそれぞれ加算する。需要予測算出部１０１は、取得部１００が取得する充電状態情報ＥＳＩ１＿１と、充電状態情報ＥＳＩ１＿２と、充電状態情報ＥＳＩ１＿３とに含まれる残容量の情報をそれぞれ加算する。需要予測算出部１０１は、取得部１００が充電状態情報ＥＳＩを取得した時間の蓄電量の情報と、取得部１００が充電状態情報ＥＳＩを取得した時間の残容量の情報と、加算した時間変化情報ＥＳＴに含まれる時間の電力量の情報とをそれぞれ対応付けて、電力系統ＤＳ１の系統毎需要予測情報ＤＦ１を算出する。なお、充電状態情報ＥＳＩは、時間やカレンダー情報、気象情報に基づいて重みづけをしてもよい。
【００３１】
充放電可能電力量算出部１０２は、諾否情報ＣＯＲと、充電状態情報ＥＳＩとに基づいて、系統毎充放電可能電力量ＤＣＡを算出する。諾否情報ＣＯＲとは、充放電指示ＤＣＤが出力された場合に当該充放電指示ＤＣＤに基づく電力の充放電を蓄電装置ＥＳが受け入れるか否かを示す情報である。系統毎充放電可能電力量ＤＣＡとは、電力系統ＤＳに接続されている複数の蓄電装置ＥＳがそれぞれ充放電可能な電力量を電力系統ＤＳ毎に積算した電力量を示す情報である。
【００３２】
充放電指示装置１は、充放電指示装置１が電力量の調整を行う前に、需要家が使用する操作端末Ｄから諾否情報ＣＯＲを、収集する。ここで、操作端末Ｄとは、需要家が使用するスマートフォンや、蓄電装置ＥＳが備える入力装置（不図示）である。需要家は、充放電指示ＤＣＤを受け入れるか否かを示す諾否情報ＣＯＲを、操作端末Ｄによって入力する。本実施形態では、諾否情報ＣＯＲは、操作端末Ｄにて実行される諾否情報ＣＯＲ入力用のソフトウェアから入力される。入力操作端末Ｄは、入力された諾否情報ＣＯＲを出力する。充放電可能電力量算出部１０２は、諾否情報ＣＯＲを取得する。
【００３３】
なお、諾否情報ＣＯＲの入力はこれに限られず、操作端末Ｄを介してウェブサービスにアクセスして入力させてもよい。また、充放電指示装置１は、需要家に対して充放電指示ＤＣＤが送信される旨を電子メールなどを利用して通知し、諾否情報ＣＯＲを返信させることにより取得してもよい。
また、諾否情報ＣＯＲは、充放電指示装置１が電力系統ＤＳの電力調整を行う前に収集できていればよい。
また、諾否情報ＣＯＲは、予め電力供給事業者と、需要家との間の契約によって定められ、充放電指示装置１が備える記憶部（不図示）に記憶されていてもよい。このように諾否情報ＣＯＲが、予め電力供給事業者と、需要家との間の契約によって定められ、充放電指示装置１が備える記憶部（不図示）に記憶されている場合には、充放電可能電力量算出部１０２は、記憶部から諾否情報ＣＯＲを取得する。
【００３４】
図５を参照して、諾否情報ＣＯＲについて詳細に説明する。
図５は、諾否情報ＣＯＲの一例を示す図である。
諾否情報ＣＯＲには、蓄電装置ＥＳが充放電指示ＤＣＤを受け入れるか否かの、蓄電装置ＥＳの使用者の意思を示す諾否情報と、蓄電装置ＥＳが充放電指示ＤＣＤに基づく充放電制御を受諾可能な時間帯を示す受諾可能時間帯とが含まれる。
諾否情報ＣＯＲには、諾否情報ＣＯＲ１と、諾否情報ＣＯＲ２と、諾否情報ＣＯＲ３と、諾否情報ＣＯＲ４と、諾否情報ＣＯＲ５と、諾否情報ＣＯＲ６とが含まれる。
【００３５】
諾否情報ＣＯＲ１は、操作端末Ｄ１から出力される。諾否情報ＣＯＲ１は、予め契約によって蓄電装置ＥＳ１＿１と対応付けられている。諾否情報ＣＯＲ１には、諾否情報として充放電指示ＤＣＤを受け入れることを示す”承諾”と、受諾可能時間帯として”無制限”とが互いに関連付けられて含まれる。ここで、”無制限”とは蓄電装置ＥＳ１＿１が、充放電指示ＤＣＤが指示する時間帯に関係なく、充放電指示ＤＣＤに従うことを示している。
諾否情報ＣＯＲ２は、操作端末Ｄ２から出力される。諾否情報ＣＯＲ２は、予め契約によって蓄電装置ＥＳ１＿２と対応付けられている。諾否情報ＣＯＲ２には、諾否情報として、充放電指示ＤＣＤを受け入れないことを示す”拒否”が含まれる。ここで、蓄電装置ＥＳ１＿２は、充放電指示ＤＣＤを受け入れないことを示している。
諾否情報ＣＯＲ３は操作端末Ｄ３から出力される。諾否情報ＣＯＲ３は、予め契約によって蓄電装置ＥＳ１＿３と対応付けられている。諾否情報ＣＯＲ３には、諾否情報として”承諾”と、受諾可能時間帯として”１０：００〜１７：００”とが互いに関連付けられた状態で含まれる。ここで、蓄電装置ＥＳ１＿３は、１０：００から１７：００までの間に行われる電力量の調整であれば、充放電指示ＤＣＤに従うことを示している。
【００３６】
諾否情報ＣＯＲ４は、操作端末Ｄ４から出力される。諾否情報ＣＯＲ４は、予め契約によって蓄電装置ＥＳ２＿１と対応付けられている。諾否情報ＣＯＲ４には、諾否情報として”承諾”と、受諾可能時間帯として”１０：００〜１６：００”とが互いに関連付けられた状態で含まれる。ここで、蓄電装置ＥＳ２＿１は、１０：００から１６：００までの間に行われる電力量の調整であれば、充放電指示ＤＣＤに従うことを示している。
諾否情報ＣＯＲ５は、操作端末Ｄ５から出力される。諾否情報ＣＯＲ５は、予め契約によって蓄電装置ＥＳ２＿２と対応付けられている。諾否情報ＣＯＲ５には、諾否情報として”承諾”と、受諾可能時間帯として”２２：００〜６：００”とが互いに関連付けられた状態で含まれる。つまり、蓄電装置ＥＳ２＿２は、０：００から６：００までの間と、２２：００から２３：５９までの間に行われる電力量の調整であれば、充放電指示ＤＣＤに従うことを示している。
諾否情報ＣＯＲ６は、操作端末Ｄ６から出力される。諾否情報ＣＯＲ６は、予め契約によって蓄電装置ＥＳ２＿３と対応付けられている。諾否情報ＣＯＲ６には、諾否情報として”拒否”が含まれる。ここで、蓄電装置ＥＳ２＿３は、充放電指示ＤＣＤを受け入れないことを示している。
【００３７】
充放電可能電力量算出部１０２は、諾否情報ＣＯＲが示す諾否情報に基づいて、取得部１００が取得する充電状態情報ＥＳＩのうち、電力量の調整を受け入れる蓄電装置ＥＳの充電状態情報ＥＳＩと、諾否情報ＣＯＲが示す受諾可能時間帯とに基づいて、充放電可能な電力量を系統毎充放電可能電力量ＤＣＡとして、電力系統ＤＳ毎に算出する。充放電可能電力量算出部１０２は、諾否情報ＣＯＲが受諾した時間に対応する充電状態情報ＥＳＩを加算することにより、系統毎充放電可能電力量ＤＣＡを算出する。本実施形態では、系統毎充放電可能電力量ＤＣＡには、系統毎充放電可能電力量ＤＣＡ１と、系統毎充放電可能電力量ＤＣＡ２とが含まれる。系統毎充放電可能電力量ＤＣＡ１とは、電力系統ＤＳ１の充放電可能電力量である。系統毎充放電可能電力量ＤＣＡ２とは、電力系統ＤＳ２の充放電可能電力量である。
【００３８】
図６は、１４：００に取得した充電状態情報ＥＳＩと、図５に示す諾否情報とに基づいて算出された系統毎充放電可能電力量ＤＣＡ１及び系統毎充放電可能電力量ＤＣＡ２の一例を示す図である。
１４：００時点の系統毎充放電可能電力量ＤＣＡ１は、電力系統ＤＳ１において放電可能な電力量を示す蓄電量として”２０９（ｋＷｈ）”と、電力系統ＤＳ１において充電可能な電力量を示す残容量として”２１（ｋＷｈ）”とを示している。また、１４：００時点の系統毎充放電可能電力量ＤＣＡ２は、電力系統ＤＳ２において放電可能な電力量を示す蓄電量として”１６０（ｋＷｈ）”と、電力系統ＤＳ２において充電可能な電力量を示す残容量として”５０（ｋＷｈ）”とを示している。
【００３９】
充放電指示生成部１０３は、需要予測算出部１０１が算出した系統毎需要予測情報ＤＦ
と、充放電可能電力量算出部１０２が算出した系統毎充放電可能電力量ＤＣＡとに基づいて、それぞれの蓄電装置ＥＳの充放電量を示す充放電指示ＤＣＤを生成する。
充放電指示生成部１０３は、系統毎需要予測情報ＤＦと系統毎充放電可能電力量ＤＣＡとを比較して、電力系統ＤＳにおける調整をするための電力量を算出する。充放電指示生成部１０３は、系統毎需要予測情報ＤＦと、電力系統ＤＳとの差分をとる。充放電指示生成部１０３は、系統毎需要予測情報ＤＦが系統毎充放電可能電力量ＤＣＡよりも大きければ、蓄電装置ＥＳに対して電力系統ＤＳから充電する指示を示す充放電指示ＤＣＤを生成する。充放電指示生成部１０３は、系統毎需要予測情報ＤＦが系統毎充放電可能電力量ＤＣＡよりも小さければ、蓄電装置ＥＳに対して電力系統ＤＳから放電する指示を示す充放電指示ＤＣＤを生成する。
ここで、図７を参照して、系統毎需要予測情報ＤＦと、系統毎充放電可能電力量ＤＣＡとの一例を示す。
【００４０】
図７は、系統毎需要予測情報ＤＦ１と、系統毎充放電可能電力量ＤＣＡ１との関係を示す図である。
図７に示す一例では、系統毎需要予測情報ＤＦ１よりも、系統毎充放電可能電力量ＤＣＡ１の方が調整できる電力量が多く、充放電指示装置１は、電力系統ＤＳ１の電力量の調整が行えることを示す。
【００４１】
充放電指示生成部１０３は、蓄電装置ＥＳに対する充放電指示ＤＣＤを生成する。充放電指示ＤＣＤには、充放電指示ＤＣＤを送信する対象の蓄電装置ＥＳを示す情報である”蓄電装置名”と、充放電指示ＤＣＤを送信する時刻を示す情報である”充放電指示送信時刻”と、充放電指示ＤＣＤを受信した蓄電装置ＥＳが電力を充放電する開始時間を示す”開始時間”と、充放電指示ＤＣＤを受信した蓄電装置ＥＳが電力を充放電する終了時間を示す”終了時間”と、充放電指示ＤＣＤを受信した蓄電装置ＥＳが電力を充放電する電力量を示す”充放電指示量ＤＣＶ”とが含まれる。
【００４２】
具体的には、充放電指示ＤＣＤには、図８に示すように、充放電指示ＤＣＤ１と、充放電指示ＤＣＤ２と、充放電指示ＤＣＤ３と、充放電指示ＤＣＤ４及び充放電指示ＤＣＤ５とが含まれる。
図８は、充放電指示ＤＣＤの一例を示す図である。
【００４３】
充放電指示ＤＣＤ１は、蓄電装置ＥＳ１＿１に対して”０：３０”から”６：００”までの間、配電線Ｌ１に電力を”６（ｋＷｈ）”逆潮流させる指示を示している。また、充放電指示ＤＣＤ１は、充放電指示装置１から逆潮流させる前日の”２２：００”に、蓄電装置ＥＳ１＿１に対して出力される。
充放電指示ＤＣＤ２は、蓄電装置ＥＳ１＿３に対して”１０：００”から”１７：００”までの間、配電線Ｌ１からの電力を”６（ｋＷｈ）”蓄電する指示を示している。また、充放電指示ＤＣＤ２は、充放電指示装置１から”５：１０”に、蓄電装置ＥＳ１＿３に対して出力される。
【００４４】
充放電指示ＤＣＤ３は、蓄電装置ＥＳ２＿１に対して、”１０：００”から”１６：００”までの間、配電線Ｌ２からの電力を”１００（ｋＷｈ）”蓄電する指示を示している。また、充放電指示ＤＣＤ３は、充放電指示装置１から”８：３０”に、蓄電装置ＥＳ２＿１に対して出力される。
充放電指示ＤＣＤ４は、蓄電装置ＥＳ２＿２に対して、”２２：００”から”０：００”までの間、配電線Ｌ２からの電力を”３（ｋＷｈ）”蓄電する指示を示している。また、充放電指示ＤＣＤ４は、充放電指示装置１から”２１：００”に、蓄電装置ＥＳ２＿２に対して出力される。
充放電指示ＤＣＤ５は、蓄電装置ＥＳ１＿１に対して、”１３：００”から”１８：００”までの間、配電線Ｌ１からの電力を”２０（ｋＷｈ）”蓄電する指示を示している。また、充放電指示ＤＣＤ５は、充放電指示装置１から”７：００”に、蓄電装置ＥＳ１＿１に対して出力される。
【００４５】
充放電指示出力部１０４は、充放電指示生成部１０３が生成した充放電指示ＤＣＤを蓄電装置ＥＳに出力する。充放電指示ＤＣＤを取得した蓄電装置ＥＳは、取得した充放電指示ＤＣＤに基づいて、蓄電している電力量を調整する。
【００４６】
［充放電指示装置１の動作の概要］
次に、図９を参照して、充放電指示装置１の動作の一例について説明する。
図９は、充放電指示装置１の動作の一例を示す流れ図である。
【００４７】
取得部１００は、蓄電装置ＥＳから充電状態情報ＥＳＩを取得する（ステップＳ１１０）。取得部１００は、取得した充電状態情報ＥＳＩを蓄電装置ＥＳ毎に第１記憶部１０５に記憶させる。需要予測算出部１０１は、系統毎需要予測情報ＤＦを、第１記憶部１０５に記憶される時間変化情報ＥＳＴに基づいて電力系統ＤＳ毎に算出する（ステップＳ１２０）。充放電可能電力量算出部１０２は、操作端末Ｄから諾否情報ＣＯＲを取得する（ステップＳ１３０）。充放電可能電力量算出部１０２は、取得部１００が取得する充電状態情報ＥＳＩと、取得した諾否情報ＣＯＲとに基づいて、系統毎充放電可能電力量ＤＣＡを電力系統ＤＳ毎に算出する（ステップＳ１４０）。充放電指示生成部１０３は、需要予測算出部１０１が算出した系統毎需要予測情報ＤＦと、充放電可能電力量算出部１０２が算出した系統毎充放電可能電力量ＤＣＡとに基づいて、充放電指示ＤＣＤを蓄電装置ＥＳ毎に生成する（ステップＳ１５０）。充放電指示出力部１０４は、充放電指示生成部１０３が生成した充放電指示ＤＣＤを、蓄電装置ＥＳに対して出力する（ステップＳ１６０）。なお、ステップＳ１３０に示す処理は、ステップＳ１１０からステップＳ１２０までの処理よりも先に行ってもよい。
【００４８】
以上説明したように、充放電指示装置１は、取得部１００と、需要予測算出部１０１と、充放電可能電力量算出部１０２と、充放電指示生成部１０３と、充放電指示出力部１０４とを備える。
これにより、充放電指示装置１は、蓄電装置ＥＳが蓄電する電力量を指示することができる。また、充放電可能電力量算出部１０２は、諾否情報ＣＯＲに基づいて系統毎充放電可能電力量ＤＣＡを算出するため、充放電指示ＤＣＤに従う見込みが高い蓄電装置ＥＳが充放電可能な電力量に基づいて系統毎充放電可能電力量ＤＣＡを算出できる。
【００４９】
以上説明したように、充放電指示装置１は、充放電指示ＤＣＤに基づいて電力を充放電する蓄電装置ＥＳが複数接続される電力系統ＤＳ毎に、蓄電装置ＥＳの充電の状態を示す充電状態情報ＥＳＩを複数の蓄電装置ＥＳのそれぞれから取得する取得部１００と、電力系統ＤＳのうちのある電力系統に接続されるそれぞれの蓄電装置ＥＳの充電状態情報ＥＳＩの時間変化に基づいて、当該電力系統に接続される蓄電装置ＥＳの充放電の需要予測を
電力系統ＤＳ毎に示す系統毎需要予測情報ＤＦを算出する需要予測算出部１０１と、充放電指示ＤＣＤが出力された場合に当該充放電指示ＤＣＤに基づく電力の充放電を当該蓄電装置ＥＳが受け入れるか否かを示す諾否情報ＣＯＲと、取得部１００が取得する充電状態情報ＥＳＩとに基づいて、電力系統ＤＳ毎の充放電可能な電力量を系統毎充放電可能電力量ＤＣＡとして算出する充放電可能電力量算出部１０２と、需要予測算出部１０１が算出した系統毎需要予測情報ＤＦと、充放電可能電力量算出部１０２が算出した系統毎充放電可能電力量ＤＣＡ１とに基づいて、それぞれの蓄電装置ＥＳの充放電量を示す充放電指示ＤＣＤを生成する充放電指示生成部１０３と、充放電指示生成部１０３が生成した充放電指示ＤＣＤを蓄電装置ＥＳに出力する充放電指示出力部１０４とを備える。これにより、充放電指示装置１は、蓄電装置ＥＳが蓄電する電力量を指示することができる。また、充放電可能電力量算出部１０２は、諾否情報ＣＯＲに基づいて系統毎充放電可能電力量ＤＣＡを算出するため、充放電指示ＤＣＤに従う見込みが高い蓄電装置ＥＳが充放電可能な電力量に基づいて系統毎充放電可能電力量ＤＣＡを算出できる。
【００５０】
また、蓄電装置ＥＳから出力される充電状態情報ＥＳＩに含まれる蓄電量の情報及び残容量の情報は、取得部１００が充電状態情報ＥＳＩを取得する際に更新されてもよい。また、蓄電量の情報及び残容量の情報は、蓄電量に変化があった際に、蓄電装置ＥＳによって更新されてもよい。蓄電量の情報及び残容量の情報は、蓄電装置ＥＳによって時間間隔を空けて更新されてもよい。
なお、充電状態情報ＥＳＩは、蓄電装置ＥＳの蓄電量の情報と、残容量の情報とが解る情報であればよく、上述した例に限定されない。具体的には、充電状態情報ＥＳＩは、蓄電容量と、蓄電量の情報とだけでもよい。また、充電状態情報ＥＳＩは、蓄電容量と、蓄電容量に対して蓄電している電力量の割合を示す情報とであってもよい。
【００５１】
［第２の実施形態］
次に、図１０を参照して、第２の実施形態に係る充放電指示装置１ａの構成について説明する。なお、第１の実施形態と同一の構成及び動作については、同一の符号を付してその説明を省略する。
図１０は、第２の実施形態に係る充放電指示装置１ａの構成の一例を示す図である。
【００５２】
充放電指示装置１ａは、更に、取得部１００ａと、需要予測算出部１０１と、充放電可能電力量算出部１０２と、充放電指示生成部１０３と、充放電指示出力部１０４ａと、第１記憶部１０５と、充放電指示従い率算出部１０６と、充放電指示補正部１０７とを備える。
【００５３】
取得部１００ａは、充放電指示ＤＣＤを受諾した蓄電装置ＥＳから、充放電指示ＤＣＤを受諾した後の充電の状態を示す充電状態情報ＥＳＩＡを取得する。充電状態情報ＥＳＩＡには、充電状態情報ＥＳＩＡ１＿１と、充電状態情報ＥＳＩＡ１＿２と、充電状態情報ＥＳＩＡ１＿３と、充電状態情報ＥＳＩＡ２＿１と、充電状態情報ＥＳＩＡ２＿２と、充電状態情報ＥＳＩＡ２＿３とが含まれる。
充電状態情報ＥＳＩＡ１＿１は、充放電指示ＤＣＤを受諾した後の蓄電装置ＥＳ１＿１の充電の状態を示す。充電状態情報ＥＳＩＡ１＿２は、充放電指示ＤＣＤを受諾した後の蓄電装置ＥＳ１＿２の充電の状態を示す。充電状態情報ＥＳＩＡ１＿３は、充放電指示ＤＣＤを受諾した後の蓄電装置ＥＳ１＿３の充電の状態を示す。充電状態情報ＥＳＩＡ２＿１は、充放電指示ＤＣＤを受諾した後の蓄電装置ＥＳ２＿１の充電の状態を示す。充電状態情報ＥＳＩＡ２＿２は、充放電指示ＤＣＤを受諾した後の蓄電装置ＥＳ２＿２の充電の状態を示す。充電状態情報ＥＳＩＡ２＿３は、充放電指示ＤＣＤを受諾した後の蓄電装置ＥＳ２＿３の充電の状態を示す。
【００５４】
充放電指示従い率算出部１０６は、充放電指示ＤＣＤが示す充放電指示量ＤＣＶと、当該充放電指示ＤＣＤを受諾した蓄電装置ＥＳの当該充放電指示ＤＣＤを受諾した後の充電の状態との比較によって、蓄電装置ＥＳが充放電指示ＤＣＤに従った割合を示す充放電指示従い率ＲＦを蓄電装置ＥＳ毎に算出する。具体的には、充放電指示従い率算出部１０６は、充放電指示ＤＣＤによって指示された電力量と、充放電指示ＤＣＤを取得した蓄電装置ＥＳの充放電指示ＤＣＤ取得前の電力量と充放電指示ＤＣＤ取得後の電力量とを比較することにより、充放電指示従い率ＲＦを算出する。より具体的には、充放電指示従い率算出部１０６は、蓄電装置ＥＳ１について、充放電指示ＤＣＤ取得前の充電状態情報ＥＳＩ１＿１に含まれる蓄電量と、充放電指示ＤＣＤ取得後の充電状態情報ＥＳＩＡ１＿１に含まれる蓄電量との差をとり、充放電指示ＤＣＤが示す充放電指示量ＤＣＶと比較する。充放電指示補正部１０７は、充放電指示ＤＣＤ取得前の充電状態情報ＥＳＩ１＿１に含まれる蓄電量と、充放電指示ＤＣＤ取得後の充電状態情報ＥＳＩＡ１＿１に含まれる蓄電量との差を、充放電指示量ＤＣＶによって減算した値を、充放電指示量ＤＣＶで除算する。つまり、充放電指示補正部１０７は、充放電指示ＤＣＤが示す充放電指示量ＤＣＶのうち調整できた電力量の割合を算出する。
【００５５】
ここで、充放電指示ＤＣＤ取得前の充電状態情報ＥＳＩ１＿１に含まれる蓄電量と、充放電指示ＤＣＤ取得後の充電状態情報ＥＳＩＡ１＿１に含まれる蓄電量との差を、充放電指示量ＤＣとが同一であれば、蓄電装置ＥＳ１＿１の充放電指示従い率ＲＦ１＿１は、１００％である。充放電指示従い率算出部１０６は、他の蓄電装置ＥＳ１＿２と、蓄電装置ＥＳ１＿３と、蓄電装置ＥＳ２＿１と、蓄電装置ＥＳ２＿２と、蓄電装置ＥＳ２＿３とに対して、それぞれ充放電指示従い率ＲＦを算出する。
【００５６】
充放電指示補正部１０７は、充放電指示生成部１０３が生成する充放電指示ＤＣＤを、充放電指示従い率算出部１０６が算出する充放電指示従い率ＲＦに基づいて補正する。具体的には、充放電指示補正部１０７は、充放電指示ＤＣＤが指示する充放電指示量ＤＣＶの合計値に対して、過不足した電力量を補うように充放電指示ＤＣＤを補正する。充放電指示補正部１０７は、充放電指示ＤＣＤを受諾した蓄電装置ＥＳのうち、充放電指示従い率算出部１０６が算出する充放電指示従い率ＲＦが高い蓄電装置ＥＳから、過不足した電力量を補うように充放電指示ＤＣＤを補正する補正充放電指示ＣＤを算出する。充放電指示補正部１０７は、算出した補正充放電指示ＣＤを充放電指示出力部１０４ａに対して出力する。充放電指示出力部１０４ａは、対象となる蓄電装置ＥＳに対して、補正充放電指示ＣＤを出力する。補正充放電指示ＣＤを取得した蓄電装置ＥＳは、補正充放電指示ＣＤに基づいて電力量を調整する。
【００５７】
［充放電指示装置１ａの動作の概要］
次に、図１１を参照して、第２の実施形態に係る充放電指示装置１ａの動作の一例について説明する。
図１１は、充放電指示装置１ａの動作の一例を示す流れ図である。
【００５８】
充放電指示装置１ａは、蓄電装置ＥＳから、充放電指示ＤＣＤを受諾した後の充電状態情報ＥＳＩＡを取得する（ステップＳ２１０）。充放電指示従い率算出部１０６は、充放電指示ＤＣＤが示す充放電指示量ＤＣＶと、当該充放電指示ＤＣＤを受諾した蓄電装置ＥＳの当該充放電指示ＤＣＤを受諾した後の充電の状態との比較によって、蓄電装置ＥＳが充放電指示ＤＣＤに従った割合を示す充放電指示従い率ＲＦを蓄電装置ＥＳ毎に算出する（ステップＳ２２０）。充放電指示補正部１０７は、充放電指示生成部１０３が生成する充放電指示ＤＣＤを、充放電指示従い率算出部１０６が算出する充放電指示従い率ＲＦに基づいて補正する、補正充放電指示ＣＤを生成する（ステップＳ２３０）。充放電指示出力部１０４ａは、補正充放電指示ＣＤを蓄電装置ＥＳに対して出力する（ステップＳ２４０）。
【００５９】
以上説明したように、充放電指示装置１ａは、充放電指示従い率算出部１０６と、充放電指示補正部１０７と、充放電指示出力部１０４ａとを備える。充放電指示従い率算出部１０６は、充放電指示ＤＣＤが示す充放電指示量ＤＣＶと、当該充放電指示ＤＣＤを受諾した蓄電装置ＥＳの当該充放電指示ＤＣＤを受諾した後の充電の状態との比較によって、蓄電装置ＥＳが充放電指示ＤＣＤに従った割合を示す充放電指示従い率ＲＦを蓄電装置ＥＳ毎に算出する。これにより、充放電指示装置１ａは、充放電指示ＤＣＤの指示に従った蓄電装置ＥＳの、貢献の程度を算出することができる。なお、充放電指示従い率算出部１０６は、蓄電装置ＥＳが電力量を調整した時刻、調整した電力量、蓄電装置ＥＳが接続される電力系統ＤＳによって、算出する充放電指示従い率ＲＦを増減してもよい。これにより、充放電指示従い率算出部１０６は、充放電指示装置１ａに予め設定された貢献度が高いと判断する条件に応じた充放電指示従い率ＲＦを算出することができる。
【００６０】
充放電指示補正部１０７は、充放電指示生成部１０３が生成する充放電指示ＤＣＤを、充放電指示従い率算出部１０６が算出する充放電指示従い率ＲＦに基づいて補正する。これにより、充放電指示装置１ａは、充放電指示ＤＣＤが示す充放電指示量ＤＣＶ通りに電力系統ＤＳに対する電力量を調整できない場合があっても、電力系統ＤＳ毎に適した電力量の調整をおこなうことができる。また、補正充放電指示ＣＤが示す充放電指示量ＤＣＶ通りに電力量調整を行う可能性が見込まれる蓄電装置ＥＳから補正充放電指示ＣＤを割り当てることができる。充放電指示出力部１０４ａは、充放電指示補正部１０７による補正後の充放電指示ＣＤを充放電指示ＤＣＤとして蓄電装置ＥＳに出力する。
【００６１】
［第３の実施形態］
次に、図１２を参照して、第３の実施形態に係る充放電指示装置１ｂの構成について説明する。なお、第１の実施形態及び第２の実施形態と同一の構成及び動作については、同一の符号を付してその説明を省略する。
図１２は、第３の実施形態に係る充放電指示装置１ｂの構成の一例を示す図である。
本実施形態では、蓄電装置ＥＳ１＿３とは、電力系統ＤＳと接続可能であり接続された電力系統ＤＳとの間において充放電が可能な蓄電池を備える移動体ＭＤである。なお、移動体ＭＤは、電力系統ＤＳから供給される電力を蓄電のみ行える移動体ＭＤであってもよい。また、移動体ＭＤは、接続された電力系統ＤＳに対して放電のみが行える移動体ＭＤであってもよい。
【００６２】
充放電指示装置１ｂは、充放電可能電力量算出部１０２ｂと、移動体位置情報取得部１０８と、接続先推定部１０９とを更に備える。
移動体位置情報取得部１０８は、移動体ＭＤの位置を示す移動体位置情報ＧＰを取得する。
移動体位置情報ＧＰとは、図１３に示すように移動体ＭＤの移動の軌跡のことである。
図１３は、移動体位置情報ＧＰの一例を示す図である。
移動体ＭＤは、軌跡Ｗ１の経路を移動する。軌跡Ｗ１は、移動体ＭＤの軌跡である。この一例では、軌跡Ｗ１とは、地点Ｐ１から始まり、地点Ｐ２を経由して、地点Ｐ３に到達する軌跡である。地点Ｐ１とは、電力系統ＤＳ１から電力を供給される範囲内の位置である。地点Ｐ２及び地点Ｐ３とは、電力系統ＤＳ２から電力を供給される範囲内の位置である。軌跡Ｗ１は、移動体ＭＤが備えるＧＰＳ（グローバルポジショニングシステム）機能によって記録される。移動体位置情報取得部１０８は、軌跡Ｗ１を移動体ＭＤから取得する。
【００６３】
接続先推定部１０９は、移動体位置情報取得部１０８が取得する移動体位置情報ＧＰ
と、電力系統ＤＳを構成する設備が設置されている位置を示す電力設備位置情報ＥＳＰＩ
とに基づいて、複数の電力系統ＤＳのうち移動体が接続される電力系統ＤＳを接続先電力系統ＤＳＩとして推定する。電力設備位置情報ＥＳＰＩとは、位置情報と、電力系統ＤＳとの情報が互いに関連付けられた情報である。本実施形態では、電力設備位置情報ＥＳＰＩは、第２記憶部１０５ｂに記憶される。
【００６４】
ここで、図１４を参照して、移動体ＭＤの地点Ｐ毎の時刻と、移動体ＭＤの電力量との関係の一例について説明する。
図１４は、地点Ｐ毎の時刻と、移動体ＭＤが備える蓄電池の電力量との関係の一例を示す図である。
移動体ＭＤは、”０：００”から”６：００”までの間、地点Ｐ１の位置にあり、蓄電量は”１（ｋＷｈ）”、残容量は”１１（ｋＷｈ）”である。地点移動体ＭＤは、”６：００”から”１０：００”までの間に、地点Ｐ１から地点Ｐ２の位置に移動する。このときの蓄電量は”１２（ｋＷｈ）”、残容量は”０（ｋＷｈ）”である。移動体ＭＤは、”１０：００”から”１０：３０”までの間、地点Ｐ２の位置にある。このときの蓄電量は”２（ｋＷｈ）”、残容量は”１０（ｋＷｈ）”である。移動体ＭＤは、”１０：３０”から”１３：００”までの間に、地点Ｐ２から地点Ｐ３の位置に移動する。このときの蓄電量は”１１（ｋＷｈ）”、残容量は”１（ｋＷｈ）”である。移動体ＭＤは、”１３：００”のときに、地点Ｐ３の位置にあり、蓄電量は、”１（ｋＷｈ）”、残容量は”１１（ｋＷｈ）”である。
【００６５】
接続先推定部１０９は、蓄電量が増加した地点Ｐに供給されている電力系統ＤＳから、移動体ＭＤは電力供給を受けたと判断する。つまり、接続先推定部１０９は、移動体ＭＤの移動体位置情報ＧＰと、電力設備位置情報ＥＳＰＩとに基づいて、移動体ＭＤが接続する電力系統ＤＳを推定する。図１４に示す一例では、移動体ＭＤは、地点Ｐ２に位置する蓄電装置ＥＳ２＿２と接続され、電力系統ＤＳ２の電力によって蓄電した。なお、接続先推定部１０９は、移動体位置情報ＧＰとして、ＧＰＳなどの地球上の位置が特定できる情報が得られない場合には、移動体ＭＤが契約した電力系統ＤＳの情報と、移動体ＭＤが走行した距離の情報とに基づいて、電力系統ＤＳの位置を中心として、移動体ＭＤが走行した距離を半径とした円内に存在する電力系統ＤＳを、移動体ＭＤが接続された電力系統ＤＳであると推定してもよい。
【００６６】
充放電可能電力量算出部１０２ｂは、接続先推定部１０９が推定する接続先電力系統ＤＳＩに更に基づいて、系統毎充放電可能電力量ＤＣＡを算出する。充放電可能電力量算出部１０２ｂは、移動体ＭＤの充電状態情報ＥＳＩ１＿３を取得した時点における接続先電力系統ＤＳＩが示す電力系統ＤＳに、充電状態情報ＥＳＩ１＿３の情報を加えて、系統毎充放電可能電力量ＤＣＡを出力する。この一例では、充放電可能電力量算出部１０２ｂは系統毎充放電可能電力量ＤＣＡ１を算出する場合には、充電状態情報ＥＳＩ１＿３を除外して系統毎充放電可能電力量ＤＣＡ１を算出する。また、充放電可能電力量算出部１０２ｂは、系統毎充放電可能電力量ＤＣＡ２を算出する場合には、充電状態情報ＥＳＩ１＿３を加えて系統毎充放電可能電力量ＤＣＡ２を算出する。
【００６７】
［充放電指示装置１ｂの動作の概要］
次に、図１５を参照して、第２の実施形態に係る充放電指示装置１ｂの動作の一例について説明する。
図１５は、充放電指示装置１ｂの動作の一例を示す流れ図である。
【００６８】
移動体位置情報取得部１０８は、移動体ＭＤから、移動体位置情報ＧＰを取得する（ステップＳ３１０）。接続先推定部１０９は、移動体位置情報ＧＰと、電力設備位置情報ＥＳＰＩとに基づいて、接続先電力系統ＤＳＩを推定する（ステップＳ３２０）。充放電可能電力量算出部１０２ｂは、接続先電力系統ＤＳＩと対応する充電状態情報ＥＳＩと、諾否情報ＣＯＲとに基づいて、系統毎充放電可能電力量ＤＣＡを電力系統毎に算出する（ステップＳ３３０）。
【００６９】
以上説明したように、充放電指示装置１ｂは、移動体位置情報取得部１０８と、接続先推定部１０９とを更に備える。移動体位置情報取得部１０８は、移動体ＭＤの位置を示す移動体位置情報ＧＰを取得する。接続先推定部１０９は、移動体位置情報取得部１０８が取得する移動体位置情報ＧＰと、電力系統ＤＳを構成する設備が設置されている位置を示す電力設備位置情報ＥＳＰＩとに基づいて、複数の電力系統ＤＳのうち移動体が接続される電力系統ＤＳを接続先電力系統ＤＳＩとして推定する。これにより、移動体ＭＤが移動することにより、移動体ＭＤが接続される電力系統ＤＳが変更されても、接続先電力系統ＤＳＩを選択することが出来る。また、充放電指示装置１ｂは、移動体位置情報ＧＰと、電力設備位置情報ＥＳＰＩとに基づいて、接続先電力系統ＤＳＩを選択することができるため、ある電力系統から電力を供給される蓄電装置ＥＳのみでは電力量を調整しきれない場合など、ある電力系統付近を走行する移動体ＭＤに対して、ある電力系統と接続し充放電する充放電指示ＤＣＤを生成することもできる。
充放電可能電力量算出部１０２ｂは、接続先推定部１０９が推定する接続先電力系統ＤＳＩに更に基づいて、系統毎充放電可能電力量ＤＣＡを算出する。これにより、充放電可能電力量算出部１０２ｂは、移動する蓄電装置ＥＳに対応した系統毎充放電可能電力量ＤＣＡを算出することができる。
また、充放電指示装置１ｂは、移動体ＭＤの移動体位置情報ＧＰに基づいて、移動体ＭＤが消費した電力が、移動体ＭＤの移動によって消費されたのか否かを判別することができる。電力供給事業者は、移動体ＭＤの移動によって消費された電力に対して、顧客が消費した電力に応じた付加価値を顧客に対して付与することができる。
【００７０】
以上、本発明の実施形態を、図面を参照して詳述してきたが、具体的な構成はこの実施形態に限られるものではなく、本発明の趣旨を逸脱しない範囲で適宜変更を加えることができる。
【００７１】
なお、上述の充放電指示装置１，充放電指示装置１ａ及び充放電指示装置１ｂは内部にコンピュータを有している。そして、上述した装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００７２】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００７３】
１，１ａ，１ｂ…充放電指示装置、１００，１００ａ…取得部、１０１，１０１ａ，１０１ｂ…需要予測算出部、１０２，１０２ｂ…充放電可能電力量算出部、１０３…充放電指示生成部、１０４，１０４ａ…充放電指示出力部、１０５…第１記憶部、１０５ｂ…第２記憶部、１０６…充放電指示従い率算出部、１０７…充放電指示補正部
【図１】
2018007391.tif 000003
【図２】
2018007391.tif 000004
【図３】
2018007391.tif 000005
【図４】
2018007391.tif 000006
【図５】
2018007391.tif 000007
【図６】
2018007391.tif 000008
【図７】
2018007391.tif 000009
【図８】
2018007391.tif 000010
【図９】
2018007391.tif 000011
【図１０】
2018007391.tif 000012
【図１１】
2018007391.tif 000013
【図１２】
2018007391.tif 000014
【図１３】
2018007391.tif 000015
【図１４】
2018007391.tif 000016
【図１５】
2018007391.tif 000017